(57)【要約】      （修正有）【課題】安全性の高い抗菌作用を有する洗濯機を実現すること。【解決手段】洗濯水を貯水する水受槽と、水受槽内に回転自在に設けた洗濯脱水槽と、水受槽に給水する水供給部３０とを備え、水供給部３０は、水受槽２５へ水を吐出する吐出口３０ｃと、水道水を吐出口３０ｃに導水する通水部３０ａと、通水部３０ａに設けた菌の繁殖を抑制する抗菌部材３３と、抗菌部材３３より上流側で通水部３０ａから分岐し、抗菌部材３３を通過しないで水受槽に導水する分岐水路３０ｂを有する構成としたことにより、安全性の高い抗菌作用を有する洗濯機を実現することができる。【選択図】図３
2014140522.tif 000002
【特許請求の範囲】
【請求項１】
洗濯水を貯水する水受槽と、前記水受槽内に回転自在に設けた洗濯脱水槽と、前記水受槽に給水する水供給部とを備え、前記水供給部は、前記水受槽へ水を吐出する吐出口と、水道水を前記吐出口に導水する通水部と、前記通水部に設けた菌の繁殖を抑制する抗菌部材と、前記抗菌部材より上流側で前記通水部から分岐し、前記抗菌部材を通過しないで前記水受槽に導水する分岐水路を有することを特徴とする洗濯機。
【請求項２】
前記分岐水路の断面積は、前記吐出口の面積よりも大きいことを特徴とする請求項１に記載の洗濯機。
【発明の詳細な説明】
【技術分野】
【０００１】
本発明は、洗い、すすぎ、脱水の洗濯行程を備えた洗濯機に関するものである。
【背景技術】
【０００２】
従来、洗濯機においては、機体内部に配置された洗濯槽上部に設けられた水吐出部に、菌の繁殖を抑制する銀などの抗菌性を有する抗菌物質を通水路に配置するように構成している。（例えば、特許文献１参照）。
【０００３】
図５は、従来の洗濯機を示したもので、以下その構成について説明する。
【０００４】
本体１の下部にはベース２が設けられており、ベース２に組みつけられた外枠３を有し、外枠上部には衣類投入用開口部４を有した外装カバー５を有している。
【０００５】
本体１内部には水受槽６が設けられている。水受槽６は外枠に吊り下げられると共に、内部に洗濯脱水槽７を回転自在に配設している。洗濯脱水槽７は、内底部に衣類（洗濯物や乾燥対象物）を撹拌する回転翼８を有している。
【０００６】
衣類投入用開口部４は洗濯脱水槽７の開口部１４の上方に位置し、その上部に外蓋９を有し、外装カバー５の内部において、外蓋の軸支部側の端部を軸支している。使用者は、衣類の投入、取り出しを、外蓋９を開閉し衣類投入用開口部４を介して行う。洗濯機動作は使用者の安全性のため、外蓋９が閉じた状態の場合に行われる構成となっている。
【０００７】
衣類投入用開口部４後方に水供給部１０を有し、通水部を有する構造部１１で保持されている。構造部１１は電磁バルブによる動作などにより水を供給することのできる給水弁を１２有している。
【０００８】
水供給部１０は、洗濯脱水槽７に水を供給できるよう洗濯脱水槽７の上方に配置されている。水供給部１０には、菌の繁殖を抑制する銀などの抗菌性を有する抗菌部材１３を保持できる通水部１０ａを有しており、通水部１０ａ内の通水時に、抗菌部材１３が水に溶出し、吐出口１０ｃから水受槽６内へ給水されるように構成している。
【先行技術文献】
【特許文献】
【０００９】
【特許文献１】特開２０１０−１１９６３３号公報
【発明の概要】
【発明が解決しようとする課題】
【００１０】
しかしながら、前記従来の構成では、抗菌部材１３の経年変化等の要因による通水抵抗により、水供給部１０内の流れが阻害され、水受槽に給水されずに洗濯機本体の内部に水が漏出することがあった。これを回避するため、通水部１０ａは、給水弁１２より供給される水の水圧を整流するために通水経路を長くしたり、吐出口１０ｃを大きくしたりする必要があり、衣類投入の作業性向上のための衣類投入用開口部４の大型化や、抗菌部材の溶出を長期に渡って安定的に行うことが難しく、コストも増えるという課題を有していた。
【００１１】
本発明は、前記従来の課題を解決するもので、洗濯機本体の内部に水が漏出せず、衣類投入用開口部を大型化して衣類投入の作業性を向上し、抗菌部材の溶出を長期に渡って安
定的に行うことができる洗濯機を提供することを目的としている。
【課題を解決するための手段】
【００１２】
前記従来の課題を解決するために、本発明の洗濯機は、洗濯水を貯水する水受槽と、前記水受槽内に回転自在に設けた洗濯脱水槽と、前記水受槽に給水する水供給部とを備え、前記水供給部は、前記水受槽へ水を吐出する吐出口と、水道水を前記吐出口に導水する通水部と、前記通水部に設けた菌の繁殖を抑制する抗菌部材と、前記抗菌部材より上流側で前記通水部から分岐し、前記抗菌部材を通過しないで前記水受槽に導水する分岐水路を有する構成としたものである。
【００１３】
これによって、簡単な構成で、洗濯機本体の内部への水の漏出を防止して安全性を高め、衣類投入用開口部を大型化して衣類投入の作業性を向上し、抗菌部材の溶出を長期に渡って安定的に行うことができる。
【発明の効果】
【００１４】
本発明の洗濯機は、簡単な構成で、洗濯機本体の安全性を高めるとともに、抗菌部材の溶出を長期に渡って安定的に行い、衛生的な洗濯機を実現することができる。
【図面の簡単な説明】
【００１５】
【図１】本発明の実施の形態１の洗濯機の側断面図
【図２】同洗濯機の斜視図
【図３】同洗濯機における水供給部の側断面図
【図４】同洗濯機における水供給部の吐出口の下面図
【図５】従来の洗濯機の側断面図
【発明を実施するための形態】
【００１６】
第１の発明は、洗濯水を貯水する水受槽と、前記水受槽内に回転自在に設けた洗濯脱水槽と、前記水受槽に給水する水供給部とを備え、前記水供給部は、前記水受槽へ水を吐出する吐出口と、水道水を前記吐出口に導水する通水部と、前記通水部に設けた菌の繁殖を抑制する抗菌部材と、前記抗菌部材より上流側で前記通水部から分岐し、前記抗菌部材を通過しないで前記水受槽に導水する分岐水路を有する構成としたことにより、簡単な構成で、洗濯機本体の内部への水の漏出を防止して安全性を高め、衣類投入用開口部を大型化して衣類投入の作業性を向上し、抗菌部材の溶出を長期に渡って安定的に行うことができる。
【００１７】
第２の発明は、特に、第１の発明の分岐水路の断面積は、前記吐出口の面積よりも大きい構成としたことにより、簡単な構成で、洗濯機本体の内部への水の漏出を防止してさらに安全性を高めることができる。
【００１８】
以下、本発明の実施の形態について、図面を参照しながら説明する。なお、従来例と同じ構成のものは同一符号を付して説明を省略する。また、この実施の形態によって本発明が限定されるものではない。
【００１９】
（実施の形態１）
図１は本発明の実施の形態１における洗濯機の側断面図、図２は同洗濯機の斜視図、図３は同洗濯における水供給部の側断面図、図４は同洗濯機における水供給部の吐出口の下面図を示す。
【００２０】
図１および図２において、洗濯機の本体２０の下部にはベース２１が設けられており、ベース２１に組みつけられた外枠２２と、外枠２２の上部には衣類投入用開口部２３を有
する外装カバー２４を設けている。
【００２１】
本体２０の内部には洗濯水を貯水する水受槽２５が設けられている。水受槽２５は外枠２２に吊り下げられると共に、内部に洗濯脱水槽２６を回転自在に配設している。洗濯脱水槽２６の内底部には、衣類（洗濯物や乾燥対象物）を撹拌する回転翼２７を設けている。
【００２２】
衣類投入用開口部２３は洗濯脱水槽２６の開口部３４の上方に位置し、衣類投入用開口部２３の上部には外蓋２８を設け、外装カバー２４の内部において外蓋２８の端部を軸支している。
【００２３】
外蓋２８の上面には透明窓部２９を設け、衣類投入用開口部２３の後方には水受槽２５に給水を行う水供給部３０を設けている。洗濯脱水槽２６内の衣類の状況や水供給部３０から洗濯脱水槽２６内に水が吐出される様子を、使用者は透明窓部２９を介して確認することができる。透明窓部２９の材質はガラスやプラスチックなど透明性を有するものである。
【００２４】
水供給部３０は、通水部３０ａを有する構造部３１で保持されており、構造部３１は電磁バルブなどからなる水を供給する給水弁３２を有している。
【００２５】
図３に示すように、水供給部３０には、水受槽２５へ水を吐出する吐出口３０ｃと、水道水を吐出口３０ｃに導水する通水部３０ａを設けており、通水部３０ａの内部には、菌の繁殖を抑制する銀などの抗菌性を有する抗菌部材３３を保持し、通水部３０ａ内の通水時に、抗菌部材３３が水に溶出し、抗菌部材３３から溶出した物質を含む水が吐出口３０ｃから水受槽２５内へ給水される。これにより、水受槽２５や洗濯脱水槽２６に付着する菌の繁殖が抑制されるだけでなく、衣類に付着する菌の繁殖も抑制され、衛生的な洗濯を行うことができる。
【００２６】
また、通水部３０ａに設けた抗菌部材３３より上流側には、通水部３０ａから分岐した分岐水路３０ｂを設け、抗菌部材３３を通過しないで水受槽２５へ導水する。これにより、吐出口３０ｃと分岐水路３０ｂの両方から水受槽２５へ給水され、抗菌部材３３が経年変化等の要因で通水抵抗が増大し吐出口３０ｃからの給水が減少した場合でも、分岐水路３０ｂから安定的に水受槽２５へ給水することができる。従って、抗菌部材３３が経年変化等の要因で通水抵抗が増大し吐出口３０ｃからの給水が減少した場合でも、水受槽２５に給水されずに本体２０の内部に水が漏出すること事態を防止し安全性を高めることができる。また、構成が簡単で済むので、衣類投入用開口部を大型化して衣類投入の作業性を向上させるとともに、抗菌部材の溶出を長期に渡って安定的に行うことができる。
【００２７】
ここで、分岐水路３０ｂの断面積を、吐出口３０ｃの面積よりも大きく設定すれば、抗菌部材３３が経年変化等の要因で通水抵抗が増大し吐出口３０ｃからの給水が減少した場合でも、分岐水路３０ｂから一層安定的に水受槽２５へ給水することができるようになる。
【産業上の利用可能性】
【００２８】
以上のように、本発明によれば、安全性の高い抗菌作用を有する洗濯機を実現することが可能となるので、家庭用や業務用等の抗菌作用を有する洗濯機等の用途にも適用できる。
【符号の説明】
【００２９】
２５  水受槽
２６  洗濯脱水槽
３０  水供給部
３０ａ  通水部
３０ｂ  分岐水路
３０ｃ  吐出口
３３  抗菌部材
【図１】
2014140522.tif 000003
【図２】
2014140522.tif 000004
【図３】
2014140522.tif 000005
【図４】
2014140522.tif 000006
【図５】
2014140522.tif 000007